(57)【要約】【課題】  受信環境がよくない場所ではダイバシチ受信用として使用して受信性能の向上を図る一方、受信環境のよい場所では別々のコンテンツの受信を可能にする。【解決手段】  このデジタル放送受信システムは、第一の受信信号を生成するチューナ１０２及びデジタル復調器１０４と、第二の受信信号を生成するチューナ１０６及びデジタル復調器１０８と、第一又は第二の受信信号を選択するダイバシチ部１１０と、ダイバシチ部の出力信号をデコードする第一のデコーダ１１２と、第二の受信信号をデコードする第二のデコーダ１１４と、第一及び第二の受信信号の受信状況を検知し、受信状況が良好でない場合にはダイバシチ部１１０を機能させて受信性能の向上を図る一方、受信状況が良好な場合には第二のデコーダ１１４を機能させて異なる二つのデジタル放送を受信可能とする制御を実行する受信状況検知部１３０と、を具備する。【選択図】      図１
2007043609.tif 000002
【特許請求の範囲】
【請求項１】
第一の受信信号を生成するチューナ及びデジタル復調器と、
第二の受信信号を生成するチューナ及びデジタル復調器と、
前記第一の受信信号又は前記第二の受信信号を選択するダイバシチ部と、
前記ダイバシチ部の出力信号をデコードする第一のデコーダと、
前記第二の受信信号をデコードする第二のデコーダと、
前記第一の受信信号及び前記第二の受信信号の受信状況を検知し、該受信状況が良好でない場合には前記ダイバシチ部を機能させて受信性能の向上を図る一方、該受信状況が良好な場合には前記第二のデコーダを機能させて異なる二つのデジタル放送を受信可能とする制御を実行する受信状況検知部と、
を具備することを特徴とするデジタル放送受信システム。
【請求項２】
前記第一の受信信号又は前記第二の受信信号による受信コンテンツを蓄積し後に再生可能とするための蓄積器を更に具備する、請求項１に記載のデジタル放送受信システム。
【請求項３】
前記第一の受信信号及び前記第二の受信信号がサイマル放送の場合のそれぞれ固定向け放送及び携帯向け放送に係るものである場合において、該固定向け放送が受信不可能な状況にあって該携帯向け放送を再生するように切り替える必要があるときに、前記蓄積器に蓄積されたデータを所定時間タイムシフトして読み出すことにより、切り替えの際の時間合わせを実行するタイムシフト部を更に具備する、請求項２に記載のデジタル放送受信システム。
【請求項４】
前記タイムシフト部による時間合わせに必要な時間を相互相関により計算する相互相関計算部を更に具備する、請求項３に記載のデジタル放送受信システム。
【請求項５】
前記第一の受信信号及び前記第二の受信信号の双方に対して前記蓄積器及び前記タイムシフト部を備え、前記受信状況検知部は、一方の受信信号にノイズが発生しても、再生される映像又は音声にノイズが発生しないように制御する、請求項３に記載のデジタル放送受信システム。
【請求項６】
前記第一の受信信号及び前記第二の受信信号に係る電界強度を検知し、該電界強度が所定の値以下になると携帯向け放送を再生するように切り替える制御を行う電界強度検知部を更に具備する、請求項５に記載のデジタル放送受信システム。
【請求項７】
現在視聴されている番組とは別の番組を前記蓄積器に蓄積するときに、データコンテンツの１番組を蓄積すると、別の番組に自動で変更し、サーチしながら蓄積していく制御を実行するサーチ制御部を更に具備する、請求項２に記載のデジタル放送受信システム。
【請求項８】
前記受信状況検知部は、現在の視聴番組が受信不可になった場合に、前記蓄積器に蓄積されている番組を自動的に再生する制御を更に実行する、請求項７に記載のデジタル放送受信システム。
【請求項９】
前記受信状況検知部は、該自動的に再生する制御を実行するときに、予め設定されている番組ジャンルに応じた順に再生する、請求項８に記載のデジタル放送受信システム。
【発明の詳細な説明】
【技術分野】
【０００１】
本発明は、デジタル放送受信システムに関する。
【背景技術】
【０００２】
デジタル放送の変調方式として、最も新しい技術の一つであるＯＦＤＭ（Orthogonal Frequency Division Multiplexing、直交周波数分割多重）が採用されている。従来、デジタル放送受信機は、一般に、１個のチューナと１個のＯＦＤＭ復調器とを備える構成を有しており、裏番組の視聴を可能とするものではなかった。
【０００３】
また、図１１に示されるように、２個のチューナを備えるデジタル放送受信機も存在するが、受信性能の改善を目的とするものであり、やはり、裏番組の視聴を可能とするものではない。
【０００４】
なお、本発明に係るデジタル放送受信システムに関連する先行技術文献として、下記特許文献１は、電源投入後又はリセット後の任意の放送局の放送受信中におけるガードバンド期間中において他の受信放送局を自動的に探索して受信放送局の周波数テーブルを作成し記憶させる手段を備えたデジタル放送受信機を開示している。
【０００５】
【特許文献１】特開２００２−３７４４６７号公報
【発明の開示】
【発明が解決しようとする課題】
【０００６】
本発明は、上述した問題点に鑑みてなされたものであり、その目的は、チューナ及びデジタル復調器を２系統持ち、受信環境がよくない場所では、ダイバシチ受信用として使用することにより受信性能の向上を図る一方、受信環境のよい場所では、２チューナシステムとして使用することにより別々のコンテンツの受信を可能にするデジタル放送受信システムを提供することにある。
【課題を解決するための手段】
【０００７】
上記目的を達成するために、本発明によれば、第一の受信信号を生成するチューナ及びデジタル復調器と、第二の受信信号を生成するチューナ及びデジタル復調器と、前記第一の受信信号又は前記第二の受信信号を選択するダイバシチ部と、前記ダイバシチ部の出力信号をデコードする第一のデコーダと、前記第二の受信信号をデコードする第二のデコーダと、前記第一の受信信号及び前記第二の受信信号の受信状況を検知し、該受信状況が良好でない場合には前記ダイバシチ部を機能させて受信性能の向上を図る一方、該受信状況が良好な場合には前記第二のデコーダを機能させて異なる二つのデジタル放送を受信可能とする制御を実行する受信状況検知部と、を具備することを特徴とするデジタル放送受信システムが提供される。
【０００８】
好ましくは、前記第一の受信信号又は前記第二の受信信号による受信コンテンツを蓄積し後に再生可能とするための蓄積器を更に具備する。
【０００９】
好ましくは、前記第一の受信信号及び前記第二の受信信号がサイマル放送の場合のそれぞれ固定向け放送及び携帯向け放送に係るものである場合において、該固定向け放送が受信不可能な状況にあって該携帯向け放送を再生するように切り替える必要があるときに、前記蓄積器に蓄積されたデータを所定時間タイムシフトして読み出すことにより、切り替えの際の時間合わせを実行するタイムシフト部を更に具備する。
【００１０】
好ましくは、前記タイムシフト部による時間合わせに必要な時間を相互相関により計算する相互相関計算部を更に具備する。
【００１１】
好ましくは、前記第一の受信信号及び前記第二の受信信号の双方に対して前記蓄積器及び前記タイムシフト部を備え、前記受信状況検知部は、一方の受信信号にノイズが発生しても、再生される映像又は音声にノイズが発生しないように制御する。例えば、前記第一のデコーダ及び前記第二のデコーダにおけるエラー信号を検知して、エラーの発生していないデコーダの出力が使用されるように制御するデコーダエラー検知部を更に具備する。
【００１２】
好ましくは、前記第一の受信信号及び前記第二の受信信号に係る電界強度を検知し、該電界強度が所定の値以下になると携帯向け放送を再生するように切り替える制御を行う電界強度検知部を更に具備する。
【００１３】
好ましくは、現在視聴されている番組とは別の番組を前記蓄積器に蓄積するときに、データコンテンツの１番組を蓄積すると、別の番組に自動で変更し、サーチしながら蓄積していく制御を実行するサーチ制御部を更に具備する。
【００１４】
好ましくは、前記受信状況検知部は、現在の視聴番組が受信不可になった場合に、前記蓄積器に蓄積されている番組を自動的に再生する制御を更に実行する。
【００１５】
好ましくは、前記受信状況検知部は、該自動的に再生する制御を実行するときに、予め設定されている番組ジャンルに応じた順に再生する。
【発明の効果】
【００１６】
本発明によるデジタル放送受信システムによれば、チューナ及びデジタル復調器を２系統持ち、受信環境がよくない場所では、ダイバシチ受信用として使用されて受信性能の向上が図られる一方、受信環境のよい場所では、２チューナシステムとして使用されて別々のコンテンツの受信が可能となる。
【発明を実施するための最良の形態】
【００１７】
以下、添付図面を参照して本発明の実施形態について説明する。図１は、本発明によるデジタル放送受信システムの第一実施形態を示すブロック図である。同図において、チューナ１０２及びＯＦＤＭ復調器（デジタル復調器）１０４は第一の受信信号を生成し、一方、チューナ１０６及びＯＦＤＭ復調器１０８は第二の受信信号を生成する。ダイバシチ部１１０は、これらの受信信号のうちの一方を選択することにより、ダイバシチ受信を実現する。
【００１８】
また、第一のＭＰＥＧ（Moving Pictures Expert Group）デコーダ１１２は、ダイバシチ部１１０の出力信号をデコードすることにより、映像信号及び音声信号を出力する。一方、第二のＭＰＥＧデコーダ１１４は、チューナ１０６及びＯＦＤＭ復調器１０８によって生成される第二の受信信号をデコードすることにより、映像信号及び音声信号を出力する。
【００１９】
第一のＭＰＥＧデコーダ１１２からの映像信号及び第二のＭＰＥＧデコーダ１１４からの映像信号は、映像選択部（切替えスイッチ）３１０に導入される。映像選択部３１０は、これらの映像信号のうちの一方を選択してディスプレイ１４０に送信し、ディスプレイ１４０は、送信されてきた映像信号に基づいて映像を表示する。
【００２０】
また、第一のＭＰＥＧデコーダ１１２からの音声信号及び第二のＭＰＥＧデコーダ１１４からの音声信号は、音声選択部（切替えスイッチ）３２０に導入される。音声選択部３２０は、これらの音声信号のうちの一方を選択し、複数のアンプ１５０を介して複数のスピーカ１６０に送信し、各スピーカ１６０は、送信されてきた音声信号に基づいて音声を出力する。
【００２１】
チャンネル（ＣＨ）制御部１２０は、チューナ１０２及びＯＦＤＭ復調器１０４によって構成される第一のチャンネル、並びに、チューナ１０６及びＯＦＤＭ復調器１０８によって構成される第二のチャンネルを制御する。
【００２２】
そして、受信状況検知部１３０は、第一の受信信号及び第二の受信信号の受信状況を検知し、受信状況が良好でない場合にはダイバシチ部１１０を機能させて受信性能の向上を図る一方、受信状況が良好な場合には第二のＭＰＥＧデコーダ１１４を機能させて異なる二つのデジタル放送を受信可能とする制御を実行する。
【００２３】
具体的には、受信状況検知部１３０は、ＯＦＤＭ復調器１０４及びＯＦＤＭ復調器１０８の各々から受信エラー率を受け取る。その受信エラー率が高い場合、受信状況検知部１３０は、ダイバシチ部１１０、ＣＨ制御部１２０及び第二のＭＰＥＧデコーダ１１４に制御信号を送り、ダイバシチ受信システムとして機能するように制御する。この場合、ＯＦＤＭ復調器１０４及び１０８のうち受信状態の良い方（受信エラー率の低い方）の出力信号が第一のＭＰＥＧデコーダ１１２によりデコードされ、映像信号及び音声信号として出力されることとなる。
【００２４】
一方、受信エラー率が低い場合（受信状態が良好な場合）、受信状況検知部１３０は、ダイバシチ部１１０、ＣＨ制御部１２０及び第二のＭＰＥＧデコーダ１１４に制御信号を送り、２チューナシステムとして機能するように制御する。この場合、ＯＦＤＭ復調器１０４の出力信号は第一のＭＰＥＧデコーダ１１２によりデコードされて映像信号及び音声信号が出力され、ＯＦＤＭ復調器１０８の出力信号は第二のＭＰＥＧデコーダ１１４によりデコードされて映像信号及び音声信号が出力され、ユーザは、好みの方、あるいは２画面表示により両方の映像、音声を選択して視聴することになる。
【００２５】
このように、チューナ及びＯＦＤＭ復調器を２系統持ち、通常は、ダイバシチ受信用として受信環境がよくない場所での受信性能の向上を図り、一方、受信環境のよい場所（電界強度がある程度強いところ等）では、２チューナシステムとして別々のコンテンツを受信するデジタル放送受信システムが実現される。
【００２６】
図２は、本発明によるデジタル放送受信システムの第二実施形態を示すブロック図である。この第二実施形態は、前述の第一実施形態（図１）を改良したものであり、第二実施形態では、第一実施形態と比較して、第一の受信信号又は第二の受信信号による受信コンテンツを蓄積し後に再生可能とするための蓄積器２００が設けられている。蓄積器２００は、ＨＤＤ（ハードディスクドライブ）等で構成される。また、蓄積器２００への入力を選択するための切替えスイッチ２１０と、第二のＭＰＥＧデコーダ１１４への入力を選択するための切替えスイッチ２２０と、が設けられている。なお、蓄積器２００は、第二のＭＰＥＧデコーダ１１４の後段にあってもよい。
【００２７】
蓄積器２００は、切替えスイッチ２１０が上側に倒れている場合には第一の受信信号を蓄積する一方、切替えスイッチ２１０が下側に倒れている場合には第二の受信信号を蓄積する。そして、第二のＭＰＥＧデコーダ１１４は、切替えスイッチ２２０が上側に倒れている場合には第一の受信信号又は第二の受信信号を直接デコードする一方、切替えスイッチ２２０が下側に倒れている場合には蓄積器２００に蓄積されたコンテンツをデコードする。
【００２８】
この第二実施形態においては、前述した第一実施形態の場合と同様に、通常は、ダイバシチ受信により性能向上が図られる一方、受信状況が良いところ（電界強度がある程度強いところ等）では、１チャンネルずつのチューナとしてはたらき、２チャンネル分のコンテンツの受信が可能となる。それに加えて、この第二実施形態では、取り込んだコンテンツを蓄積器２００（ＨＤＤ等）に蓄積し、後ほど再生することが可能となる。
【００２９】
図３は、本発明によるデジタル放送受信システムの第三実施形態を示すブロック図である。この第三実施形態は、前述の第二実施形態（図２）を改良したものであり、第三実施形態では、第二実施形態と比較して、タイムシフト部３００が設けられている。このタイムシフト部３００は、第一の受信信号及び第二の受信信号がサイマル放送（simultaneous broadcasting）の場合のそれぞれ固定向け放送及び携帯向け放送に係るものである場合において、固定向け放送が受信不可能な状況にあって携帯向け放送を再生するように切り替える必要があるときに、蓄積器２００に蓄積されたデータを所定時間タイムシフトして読み出すことにより、切り替えの際の時間合わせを実行するものである。なお、タイムシフト部３００は、第二のＭＰＥＧデコーダ１１４の後段にあってもよい。
【００３０】
すなわち、二つのコンテンツがサイマル放送（固定向け放送と携帯向け放送）の場合において、固定向け放送の受信ができないときには、固定向け放送に比較して受信しやすい携帯向け放送に切り替える必要が生ずる。しかし、固定向け放送と携帯向け放送とでは、若干の時間差が存在する。この時間差は、放送局ごとに一定値となっているため、タイムシフト部３００はそれを記憶している。
【００３１】
そして、切替えスイッチ２１０が制御されることにより、蓄積器２００には、時間的に進んでいる方の放送のコンテンツが蓄積される。タイムシフト部３００は、蓄積器２００から蓄積後一定時間経過したデータを読み出すことで、前述の時間差を吸収するようにして、切り替えの際の時間合わせをスムーズに行う。この場合、切替えスイッチ２２０が下側に倒れているため、第二のＭＰＥＧデコーダ１１４は、蓄積器２００に蓄積された内容をデコードすることとなる。
【００３２】
図４は、本発明によるデジタル放送受信システムの第四実施形態を示すブロック図である。この第四実施形態は、前述の第三実施形態（図３）を改良したものであり、第四実施形態では、第三実施形態と比較して、タイムシフト部３００による時間合わせに必要な時間を相互相関により計算する相互相関計算部４００が設けられている。前述の第三実施形態では、タイムシフト部３００が、固定向け放送と携帯向け放送との時間差を記憶しているが、この第四実施形態では、汎用性を高めるため、受信信号から直接的に当該時間差を求めるようにしている。
【００３３】
相互相関計算部４００は、第一のＭＰＥＧデコーダ１１２からの映像信号（又は音声信号）と第二のＭＰＥＧデコーダ１１４からの映像信号（又は音声信号）との間で相互相関演算を行う。そして、相互相関計算部４００は、その相互相関演算の結果に基づいて、固定向け放送と携帯向け放送との間の時間差を自動的に検出する。検出された時間差は、タイムシフト部３００に提供される。タイムシフト部３００は、蓄積器２００から、蓄積後、その時間差だけ経過したデータを読み出す。かくして、状況に応じた時間合わせが可能となる。
【００３４】
図５は、本発明によるデジタル放送受信システムの第五実施形態を示すブロック図である。この第五実施形態は、前述の第三実施形態（図３）を改良したものであり、第五実施形態では、第三実施形態と比較すると、第二の受信信号（携帯向け放送信号）に対して蓄積器２００及びタイムシフト部３００が設けられているだけでなく、それに加えて、第一の受信信号（固定向け放送信号）に対しても蓄積器５００及びタイムシフト部５１０が設けられている。
【００３５】
具体的には、固定向け放送の内容は、ダイバシチ部１１０を介して蓄積器５００に蓄積される一方、携帯向け放送の内容は、蓄積器２００に蓄積されて、時間的に早い方の放送も一旦蓄積されてからデコードするようにする。例えば、固定向け放送の方が早い場合、タイムシフト部５１０は、蓄積器５００から、蓄積後、一定時間（例えば、１秒）経過後のデータを読み出す。そして、相互相関計算部４００により固定向け放送と携帯向け放送との間の時間差が１．５秒であることが検出されている場合、タイムシフト部３００は、蓄積器２００から、蓄積後、２．５秒経過後のデータを読み出す。
【００３６】
このように蓄積器５００及びタイムシフト部５１０並びに蓄積器２００及びタイムシフト部３００を機能させることにより、常に、実際よりも一定時間遅延させて映像及び音声を再生するようにする。そして、受信状況検知部１３０は、一方の受信信号にノイズが発生しても、当該一定時間内に切替えスイッチ３１０及び３２０を制御することで、再生される映像又は音声にノイズが発生しないようにすることが可能となる。このように、両方のコンテンツを蓄積することで、スムージング等の処理がノイズ発生前から可能となる。すなわち、ノイズが発生する前の時点で切り替えが可能となる。
【００３７】
図６は、本発明によるデジタル放送受信システムの第六実施形態を示すブロック図である。この第六実施形態は、第五実施形態（図５）を改良したものであり、第六実施形態では、第五実施形態と比較して、電界強度検知部６００が設けられている。この電界強度検知部６００は、第一の受信信号（固定向け放送信号）及び第二の受信信号（携帯向け放送信号）に係る電界強度を検知し、電界強度が所定の値以下になると携帯向け放送を再生するように切り替える制御を行う。
【００３８】
すなわち、電界強度検知部６００は、検知された電界強度が所定値以下になると、受信状況検知部１３０が、ＯＦＤＭ復調器１０４及び１０８における受信エラー率にかかわりなく携帯向け放送を選択するように、受信状況検知部１３０を制御する。そり結果、受信状況検知部１３０は、ＯＦＤＭ復調器１０８の出力信号が、スイッチ２２０を介して第二のＭＰＥＧデコーダ１１４に入力され、そのデコードされた映像信号及び音声信号がスイッチ３１０及び３２０により選択されるように、制御する。このように、第六実施形態は、前処理として電界強度を検出し、受信状況の悪化を事前に検知することで、より正確な制御を可能にする。
【００３９】
図７は、本発明によるデジタル放送受信システムの第七実施形態を示すブロック図である。この第七実施形態は、前述の第五実施形態（図５）を改良したものであり、第七実施形態では、第五実施形態と比較して、第一のＭＰＥＧデコーダ１１２及び第二のＭＰＥＧデコーダ１１４におけるエラー信号を検知して、エラーの発生していないデコーダの出力が使用されるように制御するデコーダエラー検知部７００が設けられている。
【００４０】
デコーダエラー検知部７００は、第一のＭＰＥＧデコーダ１１２又は第二のＭＰＥＧデコーダ１１４のいずれかにおけるエラーを検知すると、受信状況検知部１３０による制御に優先して、切替えスイッチ３１０及び３２０を制御する。すなわち、デコーダエラー検知部７００は、第一のＭＰＥＧデコーダ１１２にエラーが発生すると、スイッチ３１０及び３２０が第二のＭＰＥＧデコーダ１１４の出力を選択するように制御する一方、第二のＭＰＥＧデコーダ１１４にエラーが発生すると、スイッチ３１０及び３２０が第一のＭＰＥＧデコーダ１１２の出力を選択するように制御する。これにより、正確なエラー信号が検知可能となり、エラーの漏れを防止することができる。
【００４１】
図８は、本発明によるデジタル放送受信システムの第八実施形態を示すブロック図である。この第八実施形態は、前述の第二実施形態（図２）を改良したものであり、第八実施形態では、第二実施形態と比較して、サーチ制御部８００が設けられている。このサーチ制御部８００は、現在視聴されている番組とは別の番組を蓄積器２００に蓄積するときに、データコンテンツの１番組を蓄積すると、別の番組に自動で変更し、サーチしながら蓄積していく制御を実行するものである。
【００４２】
例えば、切替えスイッチ２１０が下側に倒れ第二の受信信号が蓄積器２００に蓄積されている場合において、その番組の蓄積が終了したとき、サーチ制御部８００は、ＣＨ制御部１２０を介して、チューナ１０６及びＯＦＤＭ復調器１０８が別の番組を受信するように制御する。その結果、新たな番組が自動的に蓄積器２００に蓄積されていく。
【００４３】
データコンテンツは、静止コンテンツが多く、容量が小さいため、多チャンネルのコンテンツを蓄積可能である。この第八実施形態では、裏チャンネルのコンテンツをすぐに呼び出すことが可能となる。
【００４４】
図９は、本発明によるデジタル放送受信システムの第九実施形態を示すブロック図である。この第九実施形態は、前述の第八実施形態（図８）を改良したものであり、第九実施形態では、第八実施形態と比較して、受信状況検知部１３０が、現在の視聴番組が受信不可になった場合に、蓄積器２００に蓄積されている番組を自動で再生する制御を実行する機能、すなわち切替えスイッチ２２０を自動的に制御して蓄積器２００を選択する機能を備えている。
【００４５】
すなわち、受信状況検知部１３０は、ＯＦＤＭ復調器１０４及びＯＦＤＭ復調器１０８の各々から受け取った受信エラー率がともに高く、ダイバシチ受信も困難な状況に陥ったと判断した場合、スイッチ２２０を蓄積器２００側に切替えることにより、第二のＭＰＥＧデコーダ１１４が、蓄積器２００に蓄積されたコンテンツをデコードするように制御す。さらに、映像選択部３１０及び音声選択部３２０は、第二のＭＰＥＧデコーダ１１４からの映像信号及び音声信号を選択するようにする。かくして、放送の受信が不可となった場合に、蓄積されていたデータコンテンツの視聴が自動的に可能となる。
【００４６】
図１０は、本発明によるデジタル放送受信システムの第十実施形態を示すブロック図である。この第十実施形態は、前述の第九実施形態（図９）を改良したものであり、第十実施形態では、第九実施形態と比較して、受信状況検知部１３０が、上述の自動的に再生する制御を実行するときに、予め設定されている番組ジャンルに応じた順に再生する機能を備えている。
【００４７】
具体的には、予め、ユーザが、再生すべきジャンル順を受信状況検知部１３０に設定し記憶させておく。受信状況検知部１３０は、蓄積器２００に蓄積されたコンテンツを、ユーザによって予め設定されたジャンル順に入れ替え、その順に蓄積器２００から出力されるようにする。第二のＭＰＥＧデコーダ１１４は、スイッチ２２０を介して蓄積器２００からのコンテンツをデコードする。そして、映像選択部３１０及び音声選択部３２０を介して、第二のＭＰＥＧデコーダ１１４からの映像信号及び音声信号が、ディスプレイ１４０及びスピーカ１６０から再生されることとなる。その結果、放送の受信が不可能となり蓄積されたデータコンテンツが視聴される場合には、ユーザの好みの順に視聴がなされ、時間的な効率が向上する。
【図面の簡単な説明】
【００４８】
【図１】本発明によるデジタル放送受信システムの第一実施形態を示すブロック図である。
【図２】本発明によるデジタル放送受信システムの第二実施形態を示すブロック図である。
【図３】本発明によるデジタル放送受信システムの第三実施形態を示すブロック図である。
【図４】本発明によるデジタル放送受信システムの第四実施形態を示すブロック図である。
【図５】本発明によるデジタル放送受信システムの第五実施形態を示すブロック図である。
【図６】本発明によるデジタル放送受信システムの第六実施形態を示すブロック図である。
【図７】本発明によるデジタル放送受信システムの第七実施形態を示すブロック図である。
【図８】本発明によるデジタル放送受信システムの第八実施形態を示すブロック図である。
【図９】本発明によるデジタル放送受信システムの第九実施形態を示すブロック図である。
【図１０】本発明によるデジタル放送受信システムの第十実施形態を示すブロック図である。
【図１１】２個のチューナを備える従来のデジタル放送受信機の例を示すブロック図である。
【符号の説明】
【００４９】
１０２    チューナ
１０４    ＯＦＤＭ復調器
１０６    チューナ
１０８    ＯＦＤＭ復調器
１１０    ダイバシチ部
１１２    第一のＭＰＥＧデコーダ
１１４    第二のＭＰＥＧデコーダ
１２０    チャンネル（ＣＨ）制御部
１３０    受信状況検知部
１４０    ディスプレイ
１５０    アンプ
１６０    スピーカ
２００    蓄積器
２１０    切替えスイッチ
２２０    切替えスイッチ
３００    タイムシフト部
３１０    映像選択部（切替えスイッチ）
３２０    音声選択部（切替えスイッチ）
４００    相互相関計算部
５００    蓄積器
５１０    タイムシフト部
５２０    切替えスイッチ
６００    電界強度検知部
７００    デコーダエラー検知部
８００    サーチ制御部
【図１】
2007043609.tif 000003
【図２】
2007043609.tif 000004
【図３】
2007043609.tif 000005
【図４】
2007043609.tif 000006
【図５】
2007043609.tif 000007
【図６】
2007043609.tif 000008
【図７】
2007043609.tif 000009
【図８】
2007043609.tif 000010
【図９】
2007043609.tif 000011
【図１０】
2007043609.tif 000012
【図１１】
2007043609.tif 000013